(57)【要約】【課題】警報出力までの無駄な保留時間を省き、速やかに警報を出力することができる施設監視装置を提供する。【解決手段】監視ポイント情報を収集するポイント情報収集部１１と、監視ポイント情報に基づき、複数の種類の保留時間のうちのいずれかの発生条件を満たしているかを判定する状態判定部１３と、発生条件に対応する保留時間を分類分けする種別分類部１４と、第１種別に属する保留時間の経過時間のカウントを、当該保留時間の発生の都度開始する第１種別カウント部１５１と、第１種別に属する全ての種類の保留時間の満了後、第２種別に属する保留時間の経過時間のカウントを、当該保留時間の発生の都度開始する第２種別カウント部１５２と、監視ポイント情報に基づき、異常の発生を検知する異常検知部１６と、異常検知部１６が異常を検知した場合、第２種別に属する全ての種類の保留時間の満了後、警報を出力する警報出力制御部１７とを備える。【選択図】図１
2019120441.tif 000002
【特許請求の範囲】
【請求項１】
施設内に設置された１つ以上の監視ポイントを監視する施設監視装置において、
前記監視ポイント毎に、前記監視ポイントの状態に関する監視ポイント情報を収集するポイント情報収集部と、
前記ポイント情報収集部が収集した監視ポイント情報に基づき、前記監視ポイント毎に、当該監視ポイントの状態が、当該監視ポイントに対して設定された複数の種類の保留時間のうちのいずれかの発生条件を満たしているかを判定する状態判定部と、
前記状態判定部が、前記発生条件を満たしていると判定した場合、当該発生条件に対応する保留時間を第１種別または第２種別に分類分けする種別分類部と、
前記監視ポイント毎に、前記種別分類部が分類分けした第１種別に属する、１つまたは複数種類の保留時間の経過時間のカウントを、当該保留時間の発生の都度開始する第１種別カウント部と、
前記監視ポイント毎に、前記第１種別カウント部が前記第１種別に属する全ての種類の保留時間の満了まで経過時間をカウントした後、前記種別分類部が分類分けした第２種別に属する、１つまたは複数種類の保留時間の経過時間のカウントを、当該保留時間の発生の都度開始する第２種別カウント部と、
前記ポイント情報収集部が収集した監視ポイント情報に基づき、前記監視ポイント毎に、異常の発生を検知する異常検知部と、
前記異常検知部が前記異常を検知した場合、前記第２種別カウント部が、前記異常が検知された監視ポイントに対して設定された、前記第２種別に属する全ての種類の保留時間の満了まで経過時間をカウントした後、警報を出力する警報出力制御部
とを備えた施設監視装置。
【請求項２】
前記種別分類部は、
前記監視ポイントに対する前記異常の発生の検知機能を有効にしないために設けられた保留時間であるか、前記監視ポイントに対する前記異常の発生を検知した場合に前記警報の出力を保留するために設けられた保留時間であるかによって、前記発生条件に対応する保留時間の分類分けを行う
ことを特徴とする請求項１記載の施設監視装置。
【請求項３】
施設内に設置された１つ以上の監視ポイントを監視する施設監視方法において、
ポイント情報収集部が、前記監視ポイント毎に、前記監視ポイントの状態に関する監視ポイント情報を収集するステップと、
状態判定部が、前記ポイント情報収集部が収集した監視ポイント情報に基づき、前記監視ポイント毎に、当該監視ポイントの状態が、当該監視ポイントに対して設定された複数の種類の保留時間のうちのいずれかの発生条件を満たしているかを判定するステップと、
種別分類部が、前記状態判定部が前記発生条件を満たしていると判定した場合、当該発生条件に対応する保留時間について、目的に応じて、第１種別または第２種別に分類分けするステップと、
第１種別カウント部が、前記監視ポイント毎に、前記種別分類部が分類分けした第１種別に属する、１つまたは複数の種類の保留時間の経過時間を、当該保留時間の発生の都度カウントするステップと、
第２種別カウント部が、前記監視ポイント毎に、前記第１種別カウント部が前記第１種別に属する全ての種類の保留時間の満了まで経過時間をカウントした後、前記種別分類部が分類分けした第２種別に属する、１つまたは複数の種類の保留時間の経過時間を、当該保留時間の発生の都度カウントするステップと、
異常検知部が、前記ポイント情報収集部が収集した監視ポイント情報に基づき、前記監視ポイント毎に、異常の発生を検知するステップと、
警報出力制御部が、前記異常検知部が前記異常を検知した場合、前記第２種別カウント部が、前記異常が検知された監視ポイントに対して設定された、前記第２種別に属する全ての種類の保留時間の満了まで経過時間をカウントした後、警報を出力するステップ
とを備えた施設監視方法。
【発明の詳細な説明】
【技術分野】
【０００１】
この発明は、施設内の各種の制御機器等を監視または制御する施設監視装置および施設監視方法に関するものである。
【背景技術】
【０００２】
従来、施設監視装置が実施する各種監視機能において、監視対象となる機器等の運転開始後、異常等を検知し、警報を出力するまでの間で、各種保留時間を設けるようにしている。
例えば、空調制御システムにおいて、空調機の運転開始後経過時間が警報保留時間を超えたかどうかを判定し、運転開始後経過時間が警報保留時間を超えていない間は警報を出力させないようにする技術が知られている（例えば、特許文献１参照）。
【０００３】
また、管理者等は、監視対象となる機器等の運転が開始してから警報を出力するまでの間で、複数の種類の保留時間を設定することもできる。
例えば、管理者等は、施設監視装置において、機器等の運転が開始してからの所定時間を設定した保留時間（以下、「インターロック保留時間」という。）、機器等の運転開始後、設定値変更が行われた場合に、当該設定値変更が行われてからの所定時間を設定した保留時間（以下、「設定値変更保留時間」という。）、および、機器等の状態が警報出力条件を満たしてからの所定時間を設定した保留時間（以下、「警報出力保留時間」という。）を設定することができる。
【０００４】
インターロック保留時間および設定値変更保留時間は、監視機能を有効にする必要がない所定時間として設定される。
警報出力保留時間は、監視機能を有効にした後、監視対象の機器等の状態が警報出力条件を満たす状態になってから、警報を出力する必要がない所定時間として設定される。
【先行技術文献】
【特許文献】
【０００５】
【特許文献１】特開２０１３−２０４９５８号公報
【発明の概要】
【発明が解決しようとする課題】
【０００６】
上述のように、施設監視装置では、機器等の運転が開始されてから機器等の異常等を検知し警報を出力するまでに、複数の種類の保留時間を設けることができる。
しかし、従来、複数の種類の保留時間が設けられている場合、当該複数の種類の保留時間がカウントされる条件が同時に発生すると、発生した順に当該複数の種類の保留時間がカウント開始されるようになっていた。
すなわち、ある保留時間の間に別の保留時間がカウントされる条件が発生した場合、先に発生した保留時間の間、監視機能の動作、または、警報の出力が保留され、先に発生した保留時間経過後、次に発生した別の保留時間のカウントが開始され、当該別の保留時間の分だけさらに、監視機能の動作、または、警報の出力が保留されるようになっていた。
その結果、後で発生した保留時間のカウント開始までに待ち時間が発生し、警報を出力しなければならない条件になった際に、警報の出力までに無駄に時間が経過してしまい、警報の出力が遅延してしまうという課題があった。
【０００７】
この発明は、上記のような課題を解決するためになされたもので、監視対象の運転が開始されてから当該監視対象の異常等を検知し警報を出力するまでに複数の種類の保留時間が設定されている場合に、警報出力までの無駄な保留時間を省き、速やかに警報を出力することができる施設監視装置を提供することを目的とする。
【課題を解決するための手段】
【０００８】
この発明に係る施設監視装置は、施設内に設置された１つ以上の監視ポイントを監視する施設監視装置において、監視ポイント毎に、監視ポイントの状態に関する監視ポイント情報を収集するポイント情報収集部と、ポイント情報収集部が収集した監視ポイント情報に基づき、監視ポイント毎に、当該監視ポイントの状態が、当該監視ポイントに対して設定された複数の種類の保留時間のうちのいずれかの発生条件を満たしているかを判定する状態判定部と、状態判定部が、発生条件を満たしていると判定した場合、当該発生条件に対応する保留時間を第１種別または第２種別に分類分けする種別分類部と、監視ポイント毎に、種別分類部が分類分けした第１種別に属する、１つまたは複数種類の保留時間の経過時間のカウントを、当該保留時間の発生の都度開始する第１種別カウント部と、監視ポイント毎に、第１種別カウント部が第１種別に属する全ての種類の保留時間の満了まで経過時間をカウントした後、種別分類部が分類分けした第２種別に属する、１つまたは複数種類の保留時間の経過時間のカウントを、当該保留時間の発生の都度開始する第２種別カウント部と、ポイント情報収集部が収集した監視ポイント情報に基づき、監視ポイント毎に、異常の発生を検知する異常検知部と、異常検知部が異常を検知した場合、第２種別カウント部が、異常が検知された監視ポイントに対して設定された、第２種別に属する全ての種類の保留時間の満了まで経過時間をカウントした後、警報を出力する警報出力制御部とを備えたものである。
【発明の効果】
【０００９】
この発明によれば、監視対象の運転が開始されてから当該監視対象の異常等を検知し警報を出力するまでに複数の種類の保留時間が設定されている場合に、警報出力までの無駄な保留時間を省き、速やかに警報を出力することができる。
【図面の簡単な説明】
【００１０】
【図１】実施の形態１に係る施設監視装置の構成例を示す図である。
【図２】実施の形態１において、ポイント情報記憶部が記憶する監視ポイント情報の一例を示す図である。
【図３】実施の形態１に係る施設監視装置の動作の一例を説明するフローチャートである。
【図４】実施の形態１において、種別分類部が一時記憶させる分類後保留時間情報の内容の一例を説明するための図である。
【図５】実施の形態１において、第１種別カウント部が経過時間を付与した分類後保留時間情報の内容の一例を説明するための図である。
【図６】実施の形態１において、ポイント情報記憶部に記憶されている監視ポイント情報の一例を示す図である。
【図７】実施の形態１において、種別分類部が一時記憶させる分類後保留時間情報の内容のその他の一例を説明するための図である。
【図８】実施の形態１において、第１種別カウント部が経過時間を付与した分類後保留時間情報の内容のその他の一例を説明するための図である。
【図９】実施の形態１において、ポイント情報記憶部に記憶されている監視ポイント情報のその他の一例を示す図である。
【図１０】実施の形態１において、ポイント情報記憶部に記憶されている監視ポイント情報のその他の一例を示す図である。
【図１１】実施の形態１において、種別分類部が一時記憶させる分類後保留時間情報の内容のその他の一例を説明するための図である。
【図１２】実施の形態１において、第２種別カウント部が経過時間を付与した分類後保留時間情報の内容の一例を説明するための図である。
【図１３】従来の施設監視装置において、複数の保留時間のカウント方法の一例を説明するための図である。
【図１４】図１４は、図１３に示す状況と同じ状況下での、実施の形態１に係る施設監視装置における、複数の保留時間のカウント方法の一例を説明するための図である。
【発明を実施するための形態】
【００１１】
以下、この発明の実施の形態について図面を参照しながら詳細に説明する。
実施の形態１．
図１は、実施の形態１に係る施設監視装置１の構成例を示す図である。
施設監視装置１は、施設内の１つ以上の設備、または、施設内に設置された１つ以上の制御機器（図示省略）等を監視する。
以下、施設監視装置１による監視対象となる、施設内の設備、または、施設内に設置された制御機器等を、監視ポイントというものとする。
施設監視装置１による動作は、ソフトウェアに基づくＣＰＵを用いたプログラム処理によって実行される。
施設監視装置１は、図１に示すように、ポイント情報収集部１１と、ポイント情報記憶部１２と、状態判定部１３と、種別分類部１４と、カウント部１５と、異常検知部１６と、警報出力制御部１７を備える。
カウント部１５は、第１種別カウント部１５１と、第２種別カウント部１５２を有する。
【００１２】
ポイント情報収集部１１は、監視ポイント毎に、監視ポイントに関する監視ポイント情報を、予め決められた周期で収集する。監視ポイント情報には、少なくとも、監視ポイント、監視ポイント情報の収集日時、および、監視ポイントの状態に関する情報が含まれる。
ポイント情報収集部１１は、収集した監視ポイント情報を、ポイント情報記憶部１２に記憶させるとともに、状態判定部１３に出力する。
【００１３】
ポイント情報記憶部１２は、ポイント情報収集部１１が収集した監視ポイント情報を記憶する。ポイント情報記憶部１２は、監視ポイント情報を、例えば、監視ポイント毎に時系列で記憶する。
図２は、実施の形態１において、ポイント情報記憶部１２が記憶する監視ポイント情報の一例を示す図である。
図２に示すように、ポイント情報記憶部１２は、少なくとも、監視ポイント、監視ポイント情報の収集日時、および、監視ポイントの状態に関する情報が対応付けられた監視ポイント情報を記憶する。
なお、実施の形態１では、図１に示すように、ポイント情報記憶部１２は、施設監視装置１に備えられるものとするが、これに限らず、ポイント情報記憶部１２は、施設監視装置１の外部の、施設監視装置１が参照可能な場所に備えられるようにしてもよい。
【００１４】
状態判定部１３は、ポイント情報収集部１１が収集した監視ポイント情報に基づき、監視ポイント毎に、監視ポイントの状態が、監視ポイントに対して予め設定された複数の種類の保留時間のうちのいずれかの発生条件を満たしているかを判定する。具体的には、状態判定部１３は、監視ポイントの状態が、予め設定された保留時間の発生条件を満たせば、当該監視ポイントについて、発生条件に対応する保留時間のカウントが必要であると判定する。
【００１５】
管理者等は、予め、施設監視装置１において、監視ポイント毎に、必要に応じて、複数の種類の保留時間を設定しておく。
複数の種類の保留時間とは、例えば、「インターロック保留時間」、「設定値変更保留時間」、および、「警報出力保留時間」である。
「インターロック保留時間」とは、監視ポイントが所定の状態になってからの所定時間が設定された保留時間をいう。所定の状態とは、例えば、監視ポイントが「ＯＮ（運転）」の状態としてもよいし、監視ポイントが「ＯＦＦ（停止）」の状態としてもよく、適宜設定可能である。
実施の形態１では、一例として、「インターロック保留時間」は、監視ポイントの状態が「ＯＮ」になってからの所定時間が設定された保留時間とする。
【００１６】
また、実施の形態１において、「設定値変更保留時間」とは、例えば、設定温度の変更等、監視ポイントに対して設定されていた設定値に変更があった場合に、当該変更が行われてからの所定時間が設定された保留時間をいう。「設定値変更保留時間」の発生条件は、「監視ポイントの設定値に変更があったこと」である。
【００１７】
また、実施の形態１において、「警報出力保留時間」とは、施設監視装置１において監視ポイントに対する監視機能を有効にした後、監視ポイントの状態が警報出力条件を満たし異常が検知されてからの所定時間が設定された保留時間をいう。「警報出力保留時間」の発生条件は、「異常検知部１６（後述する）が異常を検知したこと」である。
【００１８】
「インターロック保留時間」および「設定値変更保留時間」は、監視機能を有効にする必要がない所定時間として設定される。例えば、監視ポイントが空調機であるとすると、空調機の運転開始時点からそれほど経過していない間、または、設定温度が変更された時点からそれほど経過していない間は、制御対象空間の計測温度が変化していないことが明白であり、監視機能を有効にする必要がない。「インターロック保留時間」および「設定値変更保留時間」が設定されていることで、施設監視装置１は、無駄に監視機能を動作させることを防ぐ等することができる。
【００１９】
「警報出力保留時間」は、監視機能を有効にした後、異常検知部１６が異常を検知してから、警報を出力する必要がない所定時間として設定される。例えば、監視ポイントが空調機であり、制御対象空間の設定温度について、閾値が２９℃に設定されているとすると、計測温度が一時的に２９℃を超えた場合等、継続的に閾値を超えた温度になっていなければ、誤検知の可能性があり、警報を出力する必要がない。「警報出力保留時間」が設定されていることで、施設監視装置１は、誤報を防ぐ等することができる。
なお、「インターロック保留時間」および「設定値変更保留時間」が経過すると、施設監視装置１は、該当の監視ポイントに対する監視機能を有効にする。詳細は後述する。
管理者等は、予め、上述のような、複数の種類の保留時間を施設監視装置１に設定しておく。
【００２０】
状態判定部１３は、保留時間の発生条件を満たしていると判定した監視ポイントの情報に、保留時間の種類の情報を付与して、種別分類部１４に出力する。
【００２１】
種別分類部１４は、状態判定部１３が、複数の種類の保留時間のうちのいずれかの発生条件を満たしていると判定した場合、当該発生条件に対応する保留時間について、目的に応じて、種別（第１種別または第２種別）に分類分けする。
第１種別の保留時間とは、異常の発生の検知機能を有効にしないために設けられる保留時間である。よって、第１種別の保留時間は、異常の発生の検知機能を有効にするまでの間にカウントされる。
第２種別の保留時間とは、監視ポイントに対する異常の発生を検知した場合に、警報の出力を保留するために設けられる保留時間である、よって、第２種別の保留時間は、検知機能が有効になった後にカウントされる。
例えば、上述した「インターロック保留時間」および「設定値変更保留時間」は、第１種別に属し、上述した「警報出力保留時間」は、第２種別に属する。
【００２２】
種別分類部１４は、分類分けした結果に関する情報を、分類後保留時間情報として一時記憶させる。分類後保留時間情報は、監視ポイントの情報、保留時間の種類を特定する情報、保留時間の種別を特定する情報、保留時間の開始時刻、保留時間の満了時刻の情報を含む。保留時間の開始時刻は、状態判定部１３が、複数の種類の保留時間のうちのいずれかの発生条件を満たしていると判定した時刻であり、種別分類部１４は、当該保留時間の開始時刻の情報を、状態判定部１３から取得すればよい。保留時間の満了時刻は、保留時間の開始時刻から、予め設定されている保留時間分だけ経過した時刻であり、種別分類部１４は、保留時間の開始時刻から当該保留時間の満了時刻を算出すればよい。
【００２３】
種別分類部１４は、分類後保留時間情報を、例えば、分類後保留時間情報記憶部（図示省略）、または、自身の空きスペース等、施設監視装置１が参照可能な場所に一時記憶させるようにすればよい。
【００２４】
カウント部１５は、状態判定部１３が、複数の種類の保留時間のうちのいずれかの発生条件を満たしていると判定した場合、監視ポイント毎に、発生条件に対応する保留時間の経過時間をカウントする。その際、カウント部１５は、種別分類部１４が分類分けを行った同一の種別に属する保留時間群については並列で経過時間をカウントし、別の種別に属する保留時間群については直列で経過時間をカウントする。具体的には、カウント部１５は、第１の種別に属する保留時間群については、発生の都度、保留時間の経過時間のカウントを開始し、第２の種別に属する保留時間群については、第１の種別に属する保留時間群の経過時間を満了までカウントした後に、経過時間のカウントを開始する。
【００２５】
カウント部１５の第１種別カウント部１５１は、監視ポイント毎に、種別分類部１４が分類分けした第１種別に属する、１つまたは複数種類の保留時間の経過時間のカウントを、当該保留時間の発生の都度、開始する。
第１種別カウント部１５１は、種別分類部１４が一時記憶させている分類後保留時間情報に基づき、保留時間の開始時刻から現在までの経過時間をカウントする。第１種別カウント部１５１は、第１種別に属する保留時間について、先に発生した保留時間が満了する前に、別の保留時間が発生した場合には、先に発生した保留時間の継続時間と、後に発生した別の保留時間の継続時間とを並行してカウントする。または、第１種別カウント部１５１は、第１種別に属する複数種類の保留時間のうち、継続時間が最長の保留時間の、現在までの経過時間をカウントしてもよい。
第１種別カウント部１５１は、種別分類部１４が一時記憶させている分類後保留時間情報に、カウントした、保留時間の経過時間の情報を付与する。
【００２６】
カウント部１５の第２種別カウント部１５２は、監視ポイント毎に、第１種別カウント部１５１が第１種別に属する全ての種類の保留時間の満了まで経過時間をカウントした後、種別分類部１４が分類分けした第２種別に属する、１つまたは複数種類の保留時間の経過時間のカウントを、当該保留時間の発生の都度、開始する。すなわち、第２種別に属する保留時間は、第１種別に属する全ての種類の保留時間が満了するまでは、カウント開始されない。
第２種別カウント部１５２は、種別分類部１４が一時記憶させている分類後保留時間情報に基づき、保留時間の開始時刻から現在までの経過時間をカウントする。第２種別カウント部１５２は、第２種別に属する保留時間について、先に発生した保留時間が満了する前に、別の保留時間が発生した場合には、先に発生した保留時間の継続時間と、後に発生した別の保留時間の継続時間とを並行してカウントする。または、第２種別カウント部１５２は、第２種別に属する複数種類の保留時間のうち、継続時間が最長の保留時間の、現在までの経過時間をカウントしてもよい。
第２種別カウント部１５２は、種別分類部１４が一時記憶させている分類後保留時間情報に、カウントした、保留時間の経過時間の情報を付与する。
【００２７】
異常検知部１６は、監視機能が有効である場合に、ポイント情報収集部１１が収集した監視ポイント情報に基づき、監視ポイント毎に、当該監視ポイントにおける異常の発生を検知する。具体的には、異常検知部１６は、監視ポイント情報に基づく監視ポイントの状態が警報出力条件を満たす場合、当該監視ポイントに異常が発生していると判断する。
なお、警報出力条件は、予め、管理者等が、監視ポイント毎に設定している。
異常検知部１６は、異常の発生を検知した場合、異常発生情報を警報出力制御部１７（後述する）に出力する。異常発生情報は、監視ポイント、および、異常が発生している旨の情報を含む。異常発生情報は、エラーコード等、どのような異常が発生しているかを示す情報を含むようにしてもよい。
【００２８】
警報出力制御部１７は、異常検知部１６が異常を検知して異常発生情報が出力された場合、第２種別カウント部１５２が、異常が検知された監視ポイントに対して設定された、第２種別に属する全ての種類の保留時間の満了まで経過時間をカウントした後、出力装置（図示省略）に対して、警報を出力させる。
出力装置とは、例えば、スピーカ、ディスプレイ等である。例えば、出力装置がスピーカである場合、警報出力制御部１７は、スピーカから警報音を出力させる。また、例えば、出力装置がディスプレイである場合、警報出力制御部１７は、ディスプレイに警報情報を表示させる。
なお、出力装置は、施設監視装置１に備えられるものとしてもよいし、施設監視装置１の外部の、施設監視装置１が参照可能な場所に備えられるようにしてもよい。
【００２９】
次に、実施の形態１に係る施設監視装置１の動作について説明する。
なお、前提として、実施の形態１では、管理者等が、予め、監視ポイントＡに対して、複数の種類の保留時間として、上述の「インターロック保留時間」、「設定値変更保留時間」、および、「警報出力保留時間」の３種類の保留時間を、施設監視装置１に設定しているものとする。
実施の形態１では、監視ポイントＡについて、インターロック保留時間５分が設定されており、当該インターロック保留時間の発生条件は、監視ポイントＡの電源がＯＮになったこととする。また、監視ポイントＡについて、設定値変更保留時間５分が設定されており、当該設定値変更保留時間の発生条件は、監視ポイントＡに対して、設定されている設定温度の変更があったこととする。また、監視ポイントＡについて、警報出力保留時間３分が設定されており、当該警報出力保留時間の発生条件は、異常検知部１６が監視ポイントＡに異常を検知したこととする。また、監視ポイントＡに関する警報出力条件は、計測温度が閾値を超えたこととする。
また、予め、管理者等は、監視ポイントＡの設定温度を２７℃、監視ポイントＡの設定温度の閾値を２９℃に設定しているものとして、以下説明する。
【００３０】
図３は、実施の形態１に係る施設監視装置１の動作の一例を説明するフローチャートである。
【００３１】
ポイント情報収集部１１は、監視ポイント毎に、監視ポイント情報を、予め決められた周期で収集し（ステップＳＴ３０１）、収集した監視ポイント情報を、ポイント情報記憶部１２に記憶させる（ステップＳＴ３０２）。
実施の形態１では、一例として、ポイント情報収集部１１は、１分周期で、監視ポイント情報を収集するものとする。
【００３２】
異常検知部１６は、監視機能が有効かどうかを判定する（ステップＳＴ３０３）。
ステップＳＴ３０３において、異常検知部１６が、監視機能が有効であると判定した場合（ステップＳＴ３０３の“ＹＥＳ”の場合）、ステップＳＴ３０４に進む。
ステップＳＴ３０３において、異常検知部１６が、監視機能が有効ではないと判定した場合（ステップＳＴ３０３の“ＮＯ”の場合）、ステップＳＴ３０５に進む。
監視機能は、制御部（図１では図示省略）によって有効に設定されるまで、無効となっている。制御部は、第１種別に属する保留時間が全て満了した時点で、監視機能を有効にする（詳細は後述する）。ここでは、制御部は、まだ監視機能を有効に設定していないため、異常検知部１６は、監視機能は有効ではないと判定し、ステップＳＴ３０５に進む。ステップＳＴ３０４の動作については後述する。
【００３３】
状態判定部１３は、ポイント情報収集部１１が収集した監視ポイント情報に基づき、監視ポイント毎に、監視ポイントの状態が、監視ポイントに対して予め設定された複数の種類の保留時間のうちのいずれかの発生条件を満たしているかを判定する（ステップＳＴ３０５）。具体的には、状態判定部１３は、監視ポイントの状態が、「インターロック保留時間」、「設定値変更保留時間」、および、「警報出力保留時間」の発生条件を満たすかどうかを判定する。
【００３４】
ステップＳＴ３０５において、状態判定部１３が、予め設定された複数の保留時間のうち、いずれの発生条件も満たさないと判定した場合（ステップＳＴ３０５の“ＮＯ”の場合）、ステップＳＴ３０１に戻る。
【００３５】
ステップＳＴ３０５において、状態判定部１３が、予め設定された複数の保留時間のうち、いずれかの発生条件を満たすと判定した場合（ステップＳＴ３０５の“ＹＥＳ”の場合）、状態判定部１３は、保留時間の発生条件を満たしていると判定した監視ポイントの情報に、保留時間の種類の情報を付与して、種別分類部１４に出力する。
【００３６】
ここでは、例えば、ポイント情報収集部１１は、２０１８／１／１８  ９：００に監視ポイントＡから監視ポイント情報を収集し、ポイント情報記憶部１２には、図２に示すような監視ポイント情報を記憶させたとする。
この場合、監視ポイントＡについて、「ＯＦＦ」の状態から「ＯＮ」の状態となり、「インターロック保留時間」の発生条件を満たすことになる。
よって、状態判定部１３は、監視ポイントＡについて、「インターロック保留時間」のカウントが必要であると判定し、監視ポイントＡの情報に、「インターロック保留時間」の情報を付与して、種別分類部１４に出力する。
【００３７】
種別分類部１４は、ステップＳＴ３０５において状態判定部１３が複数の種類の保留時間のうちのいずれかの発生条件を満たしていると判定した場合、当該発生条件に対応する保留時間について、目的に応じて、種別（第１種別または第２種別）に分類分けする（ステップＳＴ３０６）。
ここでは、種別分類部１４は、監視ポイントＡの「インターロック保留時間」について、第１種別に分類分けする。
そして、種別分類部１４は、分類後保留時間情報を一時記憶させる。具体的には、ここでは、監視ポイント（監視ポイントＡ）の情報、保留時間の種類（インターロック保留時間）、保留時間の種別（第１種別）、保留時間の開始時刻「２０１８／１／１５  ９：００」、保留時間の満了時刻「２０１８／１／１５  ９：０５」の情報を含む分類後保留時間情報が一時記憶される（図４参照）。
なお、種別分類部１４は、「インターロック保留時間」の発生条件を満たしていると判定した時刻を、例えば、該当の監視ポイントＡの収集時刻とし、保留時間の開始時刻に設定するようにしている。
【００３８】
カウント部１５は、ステップＳＴ３０６において種別分類部１４が分類分けした保留時間の種別は、第１種別であるかどうかを判定する（ステップＳＴ３０７）。
ステップＳＴ３０７において、カウント部１５が、第１種別ではないと判定した場合（ステップＳＴ３０７の“ＮＯ”の場合）、ステップＳＴ３１１に進む。
【００３９】
ステップＳＴ３０７において、カウント部１５が、第１種別であると判定した場合（ステップＳＴ３０７の“ＹＥＳ”の場合）、第１種別カウント部１５１は、監視ポイント毎に、種別分類部１４が分類分けした第１種別に属する保留時間の経過時間をカウントする（ステップＳＴ３０８）。
この時点では、図４に示すように、分類後保留時間情報には、第１種別に属する保留時間は、監視ポイントＡに関する「インターロック保留時間」だけである。
よって、第１種別カウント部１５１は、監視ポイントＡの「インターロック保留時間」について、開始時刻から現在までの経過時間をカウントする。
第１種別カウント部１５１は、種別分類部１４が一時記憶させている分類後保留時間情報に、カウントした、保留時間の経過時間の情報を付与する（図５参照）。
【００４０】
制御部は、監視ポイント毎に、第１種別カウント部１５１が第１種別に属する全ての種類の保留時間の満了まで経過時間をカウントしたかどうかを判定する（ステップＳＴ３０９）。
ステップＳＴ３０９において、制御部が、第１種別カウント部１５１が第１種別に属する全ての種類の保留時間の満了まで経過時間をカウントしたと判定した場合（ステップＳＴ３０９の“ＹＥＳ”の場合）、ステップＳＴ３１０に進む。
ステップＳＴ３０９において、制御部が、第１種別カウント部１５１が第１種別に属する全ての種類の保留時間の満了まで経過時間をカウントしていないと判定した場合（ステップＳＴ３０９の“ＮＯ”の場合）、ステップＳＴ３０１に戻る。
【００４１】
ここでは、現在時刻を２０１８／１／１５  ９：００とすると、第１種別カウント部１５１は、まだ、第１種別に属する「インターロック保留時間」の満了まで経過時間をカウントしていないので、ステップＳＴ３０１に戻る。
すなわち、施設監視装置１において、第１種別に属する全ての保留時間が満了しない間は、監視機能は有効にされない。
【００４２】
ステップＳＴ３０１に戻ると、以降の処理を繰り返す。
ここで、２０１８／１／１５  ９：０３に、監視ポイントＡの設定温度が２７℃から２８℃に変更されたとする。
この場合、ステップＳＴ３０１にて、ポイント情報収集部１１が、２０１８／１／１５  ９：０３の監視ポイント情報を収集し（ステップＳＴ３０１）、収集した監視ポイント情報を、ポイント情報記憶部１２に記憶させて（ステップＳＴ３０２）、ポイント情報記憶部１２には、例えば、図６に示すような監視ポイント情報が記憶される。
【００４３】
監視機能は有効ではないので（ステップＳＴ３０３の“ＮＯ”の場合）、ステップＳＴ３０５に進み、ステップＳＴ３０５において、状態判定部１３は、監視ポイントＡについて、「設定値変更保留時間」の発生条件を満たすと判定し（ステップＳＴ３０５の“ＹＥＳ”の場合）、「設定値変更保留時間」の発生条件を満たすと判定した監視ポイントＡの情報に、保留時間の種類の情報を付与して、種別分類部１４に出力する。
【００４４】
種別分類部１４は、ステップＳＴ３０５において、状態判定部１３が発生条件を満たしていると判定した保留時間について、目的に応じて、種別（第１種別または第２種別）に分類分けする（ステップＳＴ３０６）。
ここでは、種別分類部１４は、監視ポイントＡの「設定値変更保留時間」について、第１種別に分類分けする。
そして、種別分類部１４は、図７に示すような、分類後保留時間情報を一時記憶させる。分類後保留時間情報には、すでに、「インターロック保留時間」の情報が記憶されているので、種別分類部１４は、図７に示すように、「インターロック保留時間」の情報に、「設定値変更保留時間」の情報を追加する。なお、「インターロック保留時間」については、すでに、継続時間のカウントが開始されているが、図７においては、「インターロック保留時間」に付与された経過時間の情報の記載は省略している。
【００４５】
「設定値変更保留時間」は第１種別であるので（ステップＳＴ３０７の“ＹＥＳ”の場合）、ステップＳＴ３０８に進み、第１種別カウント部１５１は、監視ポイント毎に、種別分類部１４が分類分けした第１種別に属する保留時間の経過時間をカウントする。
そして、第１種別カウント部１５１は、種別分類部１４が一時記憶させている分類後保留時間情報に、カウントした、保留時間の経過時間の情報を付与する（図８参照）。
２０１８／１／１５  ９：０３の時点では、監視ポイントＡについて、第１種別に属する保留時間には、「インターロック保留時間」と「設定値変更保留時間」が含まれており、「インターロック保留時間」はまだ満了していない。
よって、第１種別カウント部１５１は、「インターロック保留時間」および「設定値変更保留時間」の２種類の保留時間の経過時間を、並行してカウントする。そして、図８に示すように、「インターロック保留時間」および「設定値変更保留時間」の経過時間について、それぞれ、分類後保留時間情報に付与する。
【００４６】
制御部は、監視ポイント毎に、第１種別カウント部１５１が第１種別に属する全ての種類の保留時間の満了まで経過時間をカウントしたかどうかを判定する（ステップＳＴ３０９）。
ここでは、現在時刻を２０１８／１／１５  ９：０３とすると、第１種別カウント部１５１は、まだ、第１種別に属する「インターロック保留時間」および「設定値変更保留時間」の満了まで経過時間をカウントしていないので（ステップＳＴ３０９の“ＮＯ”の場合）、ステップＳＴ３０１に戻る。
すなわち、まだ、施設監視装置１において、監視ポイントＡに対する監視機能は有効にされない。
【００４７】
ステップＳＴ３０１に戻ると、以降の処理を繰り返す。
ここで、その後、監視ポイントＡに対して、設定温度の変更等、設定値の変更が行われないまま、２０１８／１／１５  ９：０８になったとする。
この場合、ステップＳＴ３０９において、制御部は、第１種別カウント部１５１が第１種別に属する全ての種類の保留時間の満了まで経過時間をカウントしたと判定し（ステップＳＴ３０９の“ＹＥＳ”の場合）、ステップＳＴ３１０に進む。
そして、制御部は、監視ポイントＡに対する監視機能を有効にする（ステップＳＴ３１０）。具体的には、制御部は、監視ポイントＡに対して、計測温度が２９℃を超えていないかどうかの監視機能を有効にする。そして、ステップＳＴ３０１に戻る。
なお、その際、制御部は、第１種別カウント部１５１が一時記憶させている分類後保留時間情報を削除するようにする。
なお、ステップＳＴ３０１〜ステップＳＴ３０８の具体的な動作は説明済みであるため省略したが、ステップＳＴ３０２において、ポイント情報記憶部１２には、図９に示すような監視ポイント情報が記憶されている。
【００４８】
ステップＳＴ３０１に戻り、ポイント情報収集部１１は、２０１８／１／１８  ９：０９の監視ポイント情報を収集し、ポイント情報記憶部１２に記憶させる（ステップＳＴ３０２）。このとき、監視ポイントＡの設定温度および計測温度は、ともに２８℃であったとする。
制御部によって監視機能は有効に設定されているので（ステップＳＴ３０３の“ＹＥＳ”の場合）、ステップＳＴ３０４に進み、異常検知部１６は、ステップＳＴ３０１，ステップＳＴ３０２においてポイント情報収集部１１が収集し、ポイント情報記憶部１２に記憶させている監視ポイント情報に基づき、監視ポイント毎に、異常を検知したかどうかを判断する（ステップＳＴ３０４）。
ここでは、監視ポイントＡの計測温度は２８℃であり、閾値２９℃を超えていないため、監視ポイントＡの状態は警報出力条件を満たしていない。よって、異常検知部１６は、監視ポイントＡには異常は発生していないと判断する（ステップＳＴ３０４の“ＮＯ”の場合）。
異常検知部１６は、該当の監視ポイントについて、カウント部１５によって異常出力保留時間のカウントが開始されていれば、当該異常出力保留時間に関する情報についてリセットし（ステップＳＴ３１４）、ステップＳＴ３０１に戻る。
【００４９】
その後、監視ポイントＡについて、２０１８／１／１５  ９：１０に、計測温度が３０℃になったとする。
ステップＳＴ３０２においてポイント情報記憶部１２には、図１０に示すような監視ポイント情報が記憶されているとする。
制御部によって監視機能は有効に設定されているので（ステップＳＴ３０３の“ＹＥＳ”の場合）、ステップＳＴ３０４に進み、異常検知部１６は、ステップＳＴ３０１，ステップＳＴ３０２においてポイント情報収集部１１が収集した監視ポイント情報に基づき、監視ポイント毎に、異常を検知したかどうかを判断する（ステップＳＴ３０４）。
ここでは、監視ポイントＡの計測温度は３０℃であり、閾値２９℃を超えているため、監視ポイントＡの状態は警報出力条件を満たしている。よって、異常検知部１６は、監視ポイントＡに異常が発生していると判断する（ステップＳＴ３０４の“ＹＥＳ”の場合）。そして、異常検知部１６は、異常発生情報を警報出力制御部１７に出力し、ステップＳＴ３０５に進む。
【００５０】
ステップＳＴ３０５において、状態判定部１３は、「警報出力保留時間」の発生条件を満たすと判定し（ステップＳＴ３０５の“ＹＥＳ”の場合）、監視ポイントＡの情報に、「警報出力保留時間」の情報を付与して、種別分類部１４に出力する。
【００５１】
種別分類部１４は、ステップＳＴ３０５において、状態判定部１３が発生条件を満たしていると判定した保留時間について、目的に応じて、種別に分類分けする（ステップＳＴ３０６）。
ここでは、種別分類部１４は、監視ポイントＡの「警報出力保留時間」について、第２種別に分類分けする。
そして、種別分類部１４は、図１１に示すような、分類後保留時間情報を一時記憶させる。
【００５２】
「警報出力保留時間」は第２種別であるので（ステップＳＴ３０７の“ＮＯ”の場合）、ステップＳＴ３１１に進み、第２種別カウント部１５２は、監視ポイント毎に、種別分類部１４が分類分けした第２種別に属する保留時間の経過時間をカウントする。
そして、第２種別カウント部１５２は、種別分類部１４が一時記憶させている分類後保留時間情報に、カウントした、保留時間の経過時間の情報を付与する（図１２参照）。
この時点では、監視ポイントＡについて、第２種別に属する保留時間には、「警報出力保留時間」が含まれている。
【００５３】
制御部は、監視ポイント毎に、第２種別カウント部１５２が第２種別に属する全ての種類の保留時間の満了まで経過時間をカウントしたかどうかを判定する（ステップＳＴ３１２）。
ステップＳＴ３１２において、制御部が、第２種別カウント部１５２が第２種別に属する全ての種類の保留時間の満了まで経過時間をカウントしたと判定した場合（ステップＳＴ３１２の“ＹＥＳ”の場合）、ステップＳＴ３１３に進む。
ステップＳＴ３１２において、制御部が、第２種別カウント部１５２が第２種別に属する全ての種類の保留時間の満了まで経過時間をカウントしていないと判定した場合（ステップＳＴ３１２の“ＮＯ”の場合）、ステップＳＴ３０１に戻る。
【００５４】
現在時刻２０１８／１／１５  ９：１０の時点では、第２種別カウント部１５２は、まだ、第２種別に属する「警報出力保留時間」の満了まで経過時間をカウントしていないので、ステップＳＴ３０１に戻る。
すなわち、施設監視装置１において、監視ポイントＡの異常は検知しているが、警報の出力が保留にされ、警報は出力されない。
【００５５】
ステップＳＴ３０１に戻ると、以降の処理を繰り返す。
ここで、その後、監視ポイントＡに対して、計測温度３０℃の状態が３分継続し、２０１８／１／１５  ９：１３になったとする。
この場合、ステップＳＴ３１３において、制御部は、第２種別カウント部１５２が第２種別に属する全ての種類の保留時間の満了まで経過時間をカウントしたと判定し（ステップＳＴ３１２の“ＹＥＳ”の場合）、警報出力要情報を、警報出力制御部１７に出力して、ステップＳＴ３１３に進む。
なお、ステップＳＴ３０１〜ステップＳＴ３０７，ステップＳＴ３１１の具体的な動作は説明済みであるため省略する。
【００５６】
警報出力制御部１７は、出力装置に対して、警報を出力させる（ステップＳＴ３１３）。
なお、その際、制御部は、第２種別カウント部１５２が一時記憶させている分類後保留時間情報を削除するようにする。
【００５７】
以上のように、施設監視装置１において、管理者等によって、予め、複数種類の保留時間が設定されている場合、種別分類部１４は、保留時間の目的に応じて、保留時間の種別の分類分けを行い、カウント部１５は、同じ種別に属する保留時間については、先に発生条件を満たして経過時間のカウントが開始されている保留時間の満了を待つことなく、後から発生条件を満たした別の保留時間の経過時間のカウントを開始するようにした。
これによって、同じ種別に属する複数の保留時間で待ちが発生することがなく、その結果、警報出力までの無駄な保留時間を省くことができる。
【００５８】
なお、上述の動作説明においては、説明の簡単のため、監視ポイントは監視ポイントＡのみとしたが、上述の動作は、監視ポイント毎に行われる。
【００５９】
従来は、同じ種別に属する保留時間が複数設定され、先に発生条件を満たした保留時間が満了する前に、後から発生条件を満たした別の保留時間が生じても、先に生じた保留時間が満了するまで、後から生じた別の保留時間の経過時間のカウントは開始されないようになっていた。
【００６０】
ここで、図１３は、従来の施設監視装置において、複数の保留時間のカウント方法の一例を説明するための図である。
また、図１４は、図１３に示す状況と同じ状況下での、実施の形態１に係る施設監視装置１における、複数の保留時間のカウント方法の一例を説明するための図である。
図１３，図１４では、監視ポイントを空調機とし、施設監視装置が、空調機の異常を検知し、警報を出力する場合の、各保留時間のカウント方法の一例を示している。
また、施設監視装置において、予め、「インターロック保留時間」、「設定値変更保留時間」、および、「警報出力保留時間」の３種類の保留時間が設定されているものとする。「インターロック保留時間」の発生条件は、空調機がＯＮにされたこととし、「設定値変更保留時間」の発生条件は、空調機の設定温度の設定値が変更されたこととし、「警報出力保留時間」の発生条件は、温度測定対象空間の温度の計測値が閾値を超え、異常が検知されたこととする。
【００６１】
従来の施設監視装置では、例えば、図１３に示すＴ０の時点で空調機の電源がＯＮにされると、「インターロック保留時間」のカウントが開始される。その後、当該「インターロック保留時間」が満了となる前に、Ｔ１の時点で空調機の設定温度設定値変更が行われたとする。この場合、「設定値変更保留時間」の発生条件を満たすことになるが、図１３に示すように、「インターロック保留時間」が満了するまでは、「設定値変更保留時間」のカウントが待ち状態になる。
さらに、Ｔ２の時点で空調機の温度の計測値が閾値を超える等、警報出力条件を満たしたとしても、「インターロック保留時間」に続けて「設定値変更保留時間」が満了するまでは、「警報出力保留時間」のカウントが待ち状態になる。そして、「警報出力保留時間」が経過した、Ｔ３の時点で、警報が出力される。
【００６２】
これに対し、実施の形態１に係る施設監視装置１では、図１４に示すように、「インターロック保留時間」と「設定値変更保留時間」とは、並行して経過時間がカウントされる。
すなわち、「インターロック保留時間」が満了していなくても、空調機の温度の設定値変更が行われ、「設定値変更保留時間」の発生条件を満たせば、即、Ｔ１の時点で「設定値変更保留時間」のカウントが開始される。これにより、「設定値変更保留時間」が満了した後、監視機能を有効にするまでの時間を短縮できる。
その結果、「警報出力保留時間」がカウント開始可能となる時刻も前倒しされ、警報出力までの時間を、Ｔ３’の時点まで短縮できる。
【００６３】
以上の実施の形態１では、種別分類部１４は、異常の発生の検知機能を有効にしないために設けられた保留時間か、警報の出力を保留するために設けられた保留時間かによって、第１種別または第２種別の２つに分類分けを行うようにした。しかし、これは一例に過ぎず、種別分類部１４は、３つ以上の種別に分類分けを行うようにすることもできる。
また、種別分類部１４は、複数の種別の分類分けを行う際、保留時間の発生条件を満たした都度カウントを開始し並行して継続時間のカウントを行うことが可能な１つ以上の保留時間が同じ種別となり、並行して継続時間のカウントを行うことが可能ではない保留時間が別の種別となるよう、保留時間の分類分けを行うようになっていればよい。
また、種別分類部１４によって分類分けされる保留時間の種別が３つ以上の場合、カウント部１５は、ある種別に属する全ての保留時間が満了した後、当該ある種別とは別の種別の保留時間のカウントを開始するようにする。各種別に属する保留時間について、どの種別からカウントを開始するかの順番については、適宜、優先順位を設定しておくようにする。
【００６４】
以上のように、実施の形態１によれば、施設監視装置１は、監視ポイント毎に、監視ポイントの状態に関する監視ポイント情報を収集するポイント情報収集部１１と、ポイント情報収集部１１が収集した監視ポイント情報に基づき、監視ポイント毎に、当該監視ポイントの状態が、当該監視ポイントに対して設定された複数の種類の保留時間のうちのいずれかの発生条件を満たしているかを判定する状態判定部１３と、状態判定部１３が、発生条件を満たしていると判定した場合、当該発生条件に対応する保留時間を第１種別または第２種別に分類分けする種別分類部１４と、監視ポイント毎に、種別分類部１４が分類分けした第１種別に属する、１つまたは複数種類の保留時間の経過時間のカウントを、当該保留時間の発生の都度開始する第１種別カウント部１５１と、監視ポイント毎に、第１種別カウント部１５１が第１種別に属する全ての種類の保留時間の満了まで経過時間をカウントした後、種別分類部１４が分類分けした第２種別に属する、１つまたは複数種類の保留時間の経過時間のカウントを、当該保留時間の発生の都度開始する第２種別カウント部１５２と、ポイント情報収集部１１が収集した監視ポイント情報に基づき、監視ポイント毎に、異常の発生を検知する異常検知部１６と、異常検知部１６が異常を検知した場合、第２種別カウント部１５２が、異常が検知された監視ポイントに対して設定された、第２種別に属する全ての種類の保留時間の満了まで経過時間をカウントした後、警報を出力する警報出力制御部１７とを備えるように構成した。これにより、監視対象の運転が開始されてから当該監視対象の異常等を検知し警報を出力するまでに複数の種類の保留時間が設定されている場合に、警報出力までの無駄な保留時間を省き、速やかに警報を出力することができる。
【００６５】
また、本願発明はその発明の範囲内において、実施の形態の任意の構成要素の変形、もしくは実施の形態の任意の構成要素の省略が可能である。
【符号の説明】
【００６６】
１  施設監視装置
１１  ポイント情報収集部
１２  ポイント情報記憶部
１３  状態判定部
１４  種別分類部
１５  カウント部
１６  異常検知部
１７  警報出力制御部
１５１  第１種別カウント部
１５２  第２種別カウント部
【図１】
2019120441.tif 000003
【図２】
2019120441.tif 000004
【図３】
2019120441.tif 000005
【図４】
2019120441.tif 000006
【図５】
2019120441.tif 000007
【図６】
2019120441.tif 000008
【図７】
2019120441.tif 000009
【図８】
2019120441.tif 000010
【図９】
2019120441.tif 000011
【図１０】
2019120441.tif 000012
【図１１】
2019120441.tif 000013
【図１２】
2019120441.tif 000014
【図１３】
2019120441.tif 000015
【図１４】
2019120441.tif 000016